【手続補正書】
【提出日】平成21年11月26日(2009.11.26)
【手続補正１】
【補正対象書類名】明細書
【補正対象項目名】全文
【補正方法】変更
【補正の内容】
【発明の詳細な説明】
【発明の名称】照明付鏡
【技術分野】
【０００１】
本発明は、洗面所等に配置される照明付鏡に関し、主にホテルや旅館、レストランなどの室内の照明照度を低下させて落ち着いた雰囲気を演出することが望まれるパブリックスペースの洗面所等に好適な照明付鏡に関するものである。
【背景技術】
【０００２】
洗面所に配置される照明付鏡に関しては、従来、様々なデザインや機能を有するものが提案されているが、本願に関連するものとして、鏡の裏側に照明器具が配置された構造のものがある（例えば、特許文献１，２参照。）。これらは主に、室内を暗めにして落ち着いた雰囲気や高級感のある感じを演出したい室内に用いられる鏡である。詳細には、このような雰囲気を作り出した場合、室内そのものの照度が不足し使用者が明瞭に鏡に映し出されないことから、鏡側から光を照射したものである。より具体的には、特許文献１記載の照明付鏡（化粧鏡）においては、鏡の裏側に配置された照明器具の光が鏡の前面側へ出射されるように、鏡面の一部に窓が形成されており、特許文献２記載の照明付鏡（化粧鏡）においては、鏡の裏側に配置された照明器具の光が鏡の前面側へ出射されるように、鏡面の一部に透明または半透明部分が形成されている。
【０００３】
【特許文献１】特開２００２−２０９６９４号公報
【特許文献２】特開２００２−４１８号公報
【発明の開示】
【発明が解決しようとする課題】
【０００４】
特許文献１，２記載の照明付鏡（化粧鏡）の場合、鏡の裏側に配置された照明器具の光は鏡面の一部に設けられた窓や透明（半透明）部分から鏡面の前に居る使用者に向かって直接的に照射されるため、十分な明るさが得られる反面、使用者が眩しさを感じてしまうという問題があった。また、鏡面に設けられた窓や透明（半透明）部分だけが他の部位より極端に明るくなり、暗い室内の雰囲気の中にあってそこだけがくっきりと照らされて使用者に違和感を与え、高級感を損なっていた。また、窓や透明（半透明）部分を形成するため鏡面積も減少し、さらに鏡の裏側に配置された照明器具の存在も使用者に分かってしまい、やはり高級感に欠けてしまうという様々な問題があった。
【０００５】
本発明は上記課題に鑑みてなされたもので、室内を落ち着いた雰囲気にするために室内照度を低下させた場合においても、使用者に眩しさを与えることなく、確実に使用者を鏡に映し出すことができるようにするとともに、暗い雰囲気の落ち着いた部屋にマッチし、かつ、今までにはない幻想的な高級感をも演出することができる実用上優れた照明付鏡を提供せんとするものである。
【０００６】
上記目的を達成するために請求項１の照明付鏡は、壁面に対し固定される鏡と、前記鏡の周縁部より外方で、前記鏡の周縁部に沿って配置された照明器具と、該照明器具を覆い、かつ前記鏡の反射面側の周縁部に所定の間隙を設けて重合するように配設された非透光性の枠体と、該枠体と前記鏡の反射面との間に配置され、前記照明器具に対向する光入射面、光を出射する光出射面、及び前記光入射面から入射した光を前記光出射面へ伝える光伝達部を有する導光部材と、を備え、前記導光部材は、前記光入射面から入射する光による前記鏡の中央部の照射が抑制される一方で使用者への照射が増加されるように構成され、かつ、前記導光部材の光伝達部内を進行する光が前記鏡の中央部への指向を抑制された状態で前記枠体の内周縁近傍の鏡の反射面で反射されて使用者の方向に指向することによって、前記鏡は中央部の反射面に比べて前記枠体の内周縁近傍の反射面の照度が高くなるように構成されていることを特徴とするものである。
【０００７】
鏡と枠体との間隙を介して光を照射するように構成した場合、照射された光によって鏡の反射面全体を明るくしてしまうと、使用者が鏡に映し出され難くなるという問題を生じる。そこで、本発明のように構成された導光部材を用いることにより、枠体の内周縁近傍の鏡による反射光を増加させて使用者に向かう光を増やす一方で、使用者が映し出される鏡の中央部への出射を抑え、使用者を綺麗に鏡に映し出すことが可能となる。また、鏡の枠体内周縁から鏡の中央部に向かうにつれて徐々にぼんやりと照度を低下させることができるため一層高級感を演出することができる。
【０００８】
また、請求項２記載の如く、前記照明器具は前記間隙に対し壁面側にオフセットして配置されていることが望ましい。光入射面から入射した光のうち、導光部材の臨界角より小さい角度で進行する光は導光部材を透過してしまうが、上記構成によれば、照明器具が枠体で覆われているため透過した光も反射させられ、入射角が小さくなるに伴い鏡の反射面で反射される光の反射角も小さくなり、これによって一層使用者に向けて光を出射できることになる。これは、鏡に使用者が近づかなければ映し出され難いという問題を解決できるものであり、一層の実用性を高めることができるものである。言い換えれば、枠体の内周から光を出射させることによる高級感の醸成と、鏡の反射面に使用者を明瞭に映し出すという鏡本来の機能とを高い次元で両立させることができるものである。
【０００９】
また、請求項３の如く、導光部材の光出射面の少なくとも一部が鏡の反射面に指向するように構成すれば、導光部材の光出射面から鏡の反射面に向かって出射する光が増加することから、使用者に向かって出射する反射光が増加するため、使用者に眩しさを与えることなく、明瞭に鏡に使用者を映し出させることができる。
【００１０】
さらに、請求項４の如く、光出射面が、鏡の反射面に対して垂直に形成した第１の出射面と、鏡の反射面に対向する第２の出射面から構成すれば、第１の出射面から鏡の反射面中央方向に光を出射させ、幻想的な光により高級感を醸成するとともに、第２の出射面から鏡の反射面に向けて光を出射させて使用者に向かう反射光を増やし、鏡に使用者を明瞭に映し出すという二つの相反する機能を上手く両立させることができる。
【００１１】
次に、請求項５記載の如く、光出射面を平面に形成するとともに、光出射面から出射され鏡の反射面で反射された光が枠体の背面に遮られることがない程度に枠体の内周縁より照明器具側へオフセットさせて配置すれば、使用者が光出射面を直接的に視認し難くなる。従って、枠体の内周面付近における光のぎらつき感を抑制することができるため、眩しさをさらに軽減することができるとともに、高級感の醸成が図られ、且つ鏡の反射面による反射光が枠体に遮られて光量が減少してしまうことをも防止することができる。
【００１２】
また、請求項６記載の如く、導光部材の枠体側の面若しくは枠体の背面の少なくとも一部に、光入射面から入射した光を乱反射させて鏡の反射面に光を出射させる光散乱面を設けた構成とすれば、光の一部は導光部材が持つ特性である臨界角より小さな角度で乱反射し、この光が鏡の反射面によって反射させられて使用者側へ出射されることとなるため、使用者があまり鏡に近づかなくても小さな角度で反射した光によって使用者を照らし出すため、明瞭に鏡に映し出すことができる。
【００１３】
また、請求項７記載の如く、導光部材の少なくとも一部若しくは枠体の背面に、光入射面から導光部材に入射した光が光射出面以外の部分から透過するのを防止するための光反射部を設けた構成とすることもできる。光入射面から導光部材に入射した光のうち、導光部材が持つ材料特性で決定する臨界角より小さな反射角で進行する光は導光部材を透過する。しかし、上記構成によれば、透過した光が光反射部によって確実に鏡の反射面側に導かれるため、導光部材により高級感を醸成しつつ、鏡の反射面における反射角を一層小さくし、直接的に光を照射せずとも使用者を明瞭に鏡に映し出すことができる。したがって、使用者があまり鏡に近づくことなく、明瞭に鏡に映し出すことができるという実用上優れた効果を奏することができるものである。
【００１４】
さらに、請求項８記載の如く、照明器具の光を鏡の外方へ向けて出射させる照明手段を設けた構成とすることもできる。このような構成とすれば、鏡の外方へ向けて出射して壁面側を照射する光が間接照明の役目を果たすため、鏡が壁から浮き上がったように見え、一層の高級感を醸成できるとともに、枠体部は光がないことから暗く、一方で鏡の反射面の枠体周縁部は間接照明で明るいことから、壁の光、枠体の暗さ、鏡の光によるコントラストによって、壁から一層鏡が浮かび上がったように見え非常に高い高級感を醸成できるものである。
【００１５】
一方、請求項９記載の如く、前記枠体と前記鏡の反射面との間隙を覆う水受部材を、前記枠体の背面であって、且つ前記鏡と前記照明器具との間に設けた構成とすることもできる。このような構成とすれば、前記間隙から浸入した水は水受部材で受け止められ、照明器具への水の浸入が回避されるため、浸水に起因する照明器具の故障を防止することができる。従って、本発明に係る照明付鏡を水気の多い空間に設置することもできるようになる。
【００１６】
この場合、請求項１０の如く、前記水受部材の上面が、前記鏡の側面方向に傾斜していることが望ましい。このような構成とすれば、水受部材で受け止められた水は傾斜に沿って鏡の側面方向へ流動し、水受部材の端部から排出されるため、水受部材上に流れ込んだ水がその場所に滞留して悪影響を及ぼすのを防止することができる。
【発明の効果】
【００１７】
本発明により、使用者に眩しさを与えることなく必要な明るさを確保することができ、高級感も備えた照明付鏡を提供することができる。
【発明を実施するための最良の形態】
【００１８】
（第１実施形態）  
以下、図面に基づいて、本発明の実施の形態について説明する。図１は本発明の第１実施形態である照明付鏡を照明器具点灯状態で模式的に示す正面図、図２は図１に示す照明付鏡の正面側から見た分解斜視図、図３は図１に示す照明付鏡の背面側から見た分解斜視図、図４は図１のＡ−Ａ線における断面図である。
【００１９】
図１〜図４に示すように、照明付鏡１０は、壁面Ｗに固定される略正方形板状の鏡支持部材１１と、鏡支持部材１１に着脱可能に固定される略正方形状の鏡１２と、鏡１２の４つの周縁部に沿った状態で鏡支持部材１１に配置された、直管型の蛍光灯からなる４本の照明器具１３と、鏡１２の反射面１２ａ側の周縁部および照明器具１３の正面側を覆うように鏡支持部材１１に着脱可能に固定された非透光性の額縁形状の枠体１４と、を備えている。鏡支持部材１１の正面の中央寄りの領域には照明器具１３を点灯するための高周波点灯装置等のインバータ１５が配置され、４本の照明器具１３はそれぞれ鏡支持部材１１の４つの周縁と平行に配置されている。
【００２０】
また、鏡支持部材１１の正面には、鏡１２の下縁部を着脱可能に係止するための二つの係止部材１６と、鏡１２の上縁部を挟持することにより鏡１２を鏡支持部材１１に固定するための二組のネジＮ１、係止具１７ａ及び係止部材１７ｂと、が設けられている。さらに、鏡支持部材１１の正面の上縁部および下縁部には、４本のローレットネジＮ２と、枠体１４の上縁付近および下縁付近にそれぞれ設けられた上部取付具１４ａおよび下部取付具１４ｂと、上部受け具１８ａおよび下部受け具１８ｂとにより枠体１４を鏡支持部材１１に着脱可能にするためそれぞれ一対ずつ設けられている。
【００２１】
また、図４に示すように、鏡１２の反射面１２ａと鏡１２の前面側にある枠体１４との間には間隙Ｓが設けられ、この間隙Ｓでかつ照明器具１３と略同一面上に導光部材１９が配置されている。導光部材１９はアクリル（ＰＭＭＡ）製で（以下の実施形態も同様の部材）、照明器具１３の光を入射させるため照明器具１３に対向して配置された光入射面１９ａと、鏡１２の中央部Ｃ方向に向かって光を出射する光出射面１９ｂと、光入射面１９ａから入射した光を光出射面１９ｂへ伝える光伝達部１９ｃと、を備えている。導光部材１９は、その光伝達部１９ｃおよび光出射面１９ｂが間隙Ｓ内に位置するように配置されている。また、光入射面１９ａには、導光部材１９と照明器具１３が同一面上に設けられているため、照明器具１３からの光が直線的に導光部材１９内を通過し、鏡の中央部Ｃまで到達することで使用者が本来映し出されるべき中央部Ｃが明るく照らされすぎることを防止するため、直線的な光を遮光する遮光部材１９ｄが配置されている。これによって、図に示す如く、直線的な光はなくなり、鏡の反射面１２ａで反射される光だけを残すことができるものである。
【００２２】
照明付鏡１０においては、図４に示すように、前面側が枠体１４で覆われているため照明器具１３の光は、使用者に直接照射されることがなく、鏡１２の反射面１２ａと枠体１４との間隙Ｓに配置された導光部材１９を通過して鏡１２の反射面１２ａの中央部Ｃ（図１参照）方向に向かって出射するため、使用者に眩しさを与えることがなく、鏡１２の反射を利用して必要な明るさを確保することができる。また、照明器具１３の前面側が枠体１４で覆われているため、使用者が直接照明器具１３を視認することがない。また照明器具１３の外側に遮蔽物がなく照明器具１３の光を兼用しては枠体１４の外周から壁面Ｗ側に向かって出射されるように構成している結果、図１に示すように、枠体１４の外周にその外側に向かって間接照明によって円形状の幻想的な光の領域が形成されるようにしたため、照明付鏡１０全体が壁面Ｗから浮き上がったように見え、高級感が醸し出される。
【００２３】
また、図４に示すように、照明器具１３の光は、導光部材１９の光入射面１９ａから入射し、光伝達部１９ｃ内を全反射しながら通過し、光出射面１９ｂから鏡１２の反射面１２ａの中央部Ｃ（図１参照）方向に向かって出射されるため、照明器具１３の光の減衰を抑制しながら効率良く鏡１２の中央部Ｃ方向に向かって出射することができる。このため、鏡１２の反射面１２ａによる反射光が増加し、使用者側に指向する光が増えることから明瞭に使用者を鏡１２に映し出すことができる。さらに、光入射面１９ａには遮光部材１９ｄが配置されているため、照明器具１３から発せられ導光部材１９をストレートに通過して光出射面１９ｂから出射される光を減らすことができるため、鏡１２の反射面全体が明るくなることを防止し、これによって高級感の欠如や使用者が鏡１２に映し出され難くなるという現象を抑制することができる。
【００２４】
次に、図５〜図１０を参照して、本発明の第２〜第６実施形態について説明する。図５〜図７は本発明の第２〜４実施形態である照明付鏡を示す部分断面図、図８は図７に示す照明付鏡に関するその他の実施形態を示す部分断面図、図９，図１０は本発明の第５，第６実施形態である照明付鏡を構成する導光部材を示す部分断面図である。なお、図５〜図１０において図１〜図４に示す符号と同符号を付している部分は第１実施形態の照明付鏡１０の構成部材と同じ構造、機能を有する部分であるため説明を省略する。
【００２５】
（第２実施形態）  
図５に示す照明付鏡２０においては、導光部材２９を、断面が略直角二等辺三角形形状の光入射面２９ａと、断面略直方体の光出射面２９ｂと、光出射面２９ｂより高さの低い断面略直方体の光伝達部２９ｃとから構成されている。さらに光入射面２９ａを平滑面とするとともに、光入射面２９ａと枠体１４の背面とがなす角２９ｒが４５度として設定されている。一方で照明器具１３は導光部材２９より鏡支持部材１１側にオフセットして設けられていることから、光入射面２９ａから入射した光は、導光部材２９に臨界角より大きい角度で進行するものは当然にして、積極的に臨界角より小さな角度で進行するように構成されている。これは、臨界角より小さな角度で入射する光が導光部材２９を透過したとしても、枠体１４の背面で反射しながら光が進み、光出射面２９ｂから出射された光は小さな角度を持って鏡１２の反射面１２ａに向けて出射され、これが小さな角度で反射することから使用者を明るく照らし、使用者を明瞭に鏡に映し出すことができるようにしたものである。ここで、臨界角とは導光部材２９の材質により大きく異なるものであり、光がそれ以下の角度を持って進む場合、導光部材２９内で反射することなく透過してしまうという角度のことをいう。一般的なアクリルであれば、臨界角は４１度程度である。
【００２６】
また、光出射面２９ｂを平滑面とするとともに、光出射面２９ｂの端面が鏡１２の反射面１２ａと略平行に対向する第２の出射面と、略垂直をなす第１の出射面の二つで構成されている。さらに、導光部材２９の光出射面２９ｂは、光伝達部２９ｃの厚さより厚く形成されている。そのため、光伝達部２９ｃで反射されながら伝達されてきた光を、図に示す如く光出射面２９ｂの特に第２出射面を介して鏡１２の反射面１２ａで反射させて確実に使用者側に指向させることができる。換言すれば、第２出射面の存在によって鏡１２の反射面１２ａに反射して使用者側に向かう位置を枠体１４に近い位置にできるため使用者の顔や身体を広い範囲で明るく照らし出すことができるものである。なお、ここでは、第１の光出射面と第２の光出射面で構成したが、これに限らず、例えば、第１の光出射面２９ｂだけを備える一方で、この第１の出射面を現在にように鏡１２の反射面１２ａに対して垂直にするのではなく、反射面１２ａに向かうように傾斜させて配置するようにしても鏡１２による反射角を小さくかつ枠体１４側に近接させることができるものであり、有効である。
【００２７】
以上、照明付鏡２０においては、照明器具１３から導光部材２９の光入射面２９ａに入射する光を鏡１２の反射面１２ａで反射させてその反射光Ｒ１を使用者側に指向させ、確実に使用者を鏡１２に映し出すことができる。また、光出射面２９ｂを平面とするとともに光出射面２９ｂが鏡１２の反射面１２ａと略垂直をなすように配置しているため、光出射面２９ｂから使用者に向かって直接出射する光が低減するため、使用者に眩しさを与えることなく、さらに鏡１２の反射面１２ａの特に中央部Ｃが明るくなり過ぎることを軽減できる。
【００２８】
なお、本実施形態では、臨界角より小さい角度で進行する光も反射するように枠体１４の背面に反射材を設けることで説明したが、導光部材２９の枠体１４との対向面に反射材を貼り付けても良いことはいうまでもなく、以下全ての実施形態においても同様である。また、反射材としては一般的な反射テープ、白色塗装、平面研磨など如何なる方法でも良いことは言うまでもない。
【００２９】
（第３実施形態）  
次に、図６に示す照明付鏡３０においては、鏡１２の端縁部１２ｃを導光部材３９の光入射面３９ａ側と一部がラップするほど延長して配置している。従って、導光部材３９の臨界角より小さい角度で入射した光は、枠体１４の背面で反射し、導光部材３９を透過するが、この反射した光が鏡１２の反射面１２ａの延長部によって補足されるため、導光部材３９の臨界角より小さな角度で光が反射しても最終的には使用者側に指向することになり、使用者は、鏡にさほど近づかなくても顔の側面までも明るく照らし出す事ができる。
【００３０】
（第４実施形態）  
次に、図７に示す照明付鏡４０においては、導光部材４９の枠体１４と対向する面に、光入射面４９ａから入射した光を乱反射させる光散乱面４９ｄを設けている。従って、導光部材４９の光入射面４９ａから入射した光は、導光部材４９の臨界角以下の角度を持つ光だけが内部を反射しながら通過することになるが、この光散乱面４９ｄの存在によって、光が反射する際にその一部が乱反射され、光出射面４９ｂから出射される一部の光の出射角が臨界角より小さな角度をもって進むようになる。これによって、鏡１２の反射面１２ａにおける反射角が小さくなり、使用者側に向かうため使用者の顔の側部まで広い範囲を照らすことができ、さらには、遠くにいる使用者も確実に鏡に映し出すことができるものである。
【００３１】
なお、この実施形態では、更に、他の実施形態と異なって光出射面４９ｂより枠体１４の内端縁が鏡１２の中心方向に延設されることで、使用者から光出射面４９ｂを見え難くしている。光出射面４９ｂは非常に明るく見えるため、これを見え難くすることで一層幻想的で高級感を演出できるが、鏡１２で反射した光がこの枠体１４の延出された部分によって遮られて使用者に光が届かなくなる恐れがあるので、図の程度の小さなオフセット量として枠体１４が光を遮らないようにすることが望ましい。この程度のオフセット量でも高級感の演出効果が高まるが、このオフセットを採用しなくても光出射面４９ｂは、使用者から見ても見え難い鏡反射面１２ａと直行する方向に形成されているため、他の実施形態のように枠体１４の内端縁と面一にしておけば何等問題はない。換言すれば、光出射面４９ｂが反対に枠体１４の内端縁より鏡１２の中心方向に延設されているような状態は、この導光部材の延長部がくっきりと光って見えるため非常に高級感を損なうものであり、好ましくない。
【００３２】
この場合、図８（ａ）に示すように、光散乱面４９ｄを導光部材４９の光出射面４９ｂ寄りの領域のみに設けたり、図８（ｂ）に示すように、光散乱面４９ｄを導光部材４９の光入射面４９ａ寄りの領域および光出射面４９ｂ寄りの領域の両方に設けたりすることができる。光出射面４９ｂ側にのみ設けた場合は先と同じであるが、光入射面４９ａ側に設けた場合は、本来であれば鏡１２の反射面１２ａに指向しないような小さな角度で入射した光が、光散乱面４９ｄの作用によって光出射面４９ｂ側に乱反射させられた場合に、光量を増加させることができる。
【００３３】
（第５実施形態）  
次に、図９に示す導光部材５９においては、光入射面５９ａから導光部材５９に入射した光が臨界角より小さな角度で進むことで光出射面５９ｂ以外の部分から透過するのを防止するための光反射部５９ｄを、光入射面５９ａの鏡支持部材１１側となる背面側（光伝達部５９ｃ側）に設けている。これは、枠体１４側は、導光部材５９の臨界角より小さな入射角の光は導光部材を透過しても枠体１４の背面で補足し、反射させることができるものの、導光部材５９の背面側は鏡１２の反射面１２ａを配置する必要があるため、図６に示したように、装置全体が厚いものとなってしまう。本実施形態はこの厚みの増加を回避しつつ、光を補足できるようにしたものである。詳細には、臨界角より小さな角度で進入してくる光を、臨界角以上の大きな角度で反射して光伝達部５９ｃに伝達するようにしたものである。この実施形態の場合は、光出射面５９ｂ側で臨界角より小さな角度の光は期待できないため、図８（ｂ）に示すような光散乱面を、光出射面側にだけでも設ける事が望ましい。
【００３４】
（第６実施形態）  
次に、図１０に示す光導光部材６９においては、光入射面６９ａから導光部材６９に入射した光が臨界角より小さな角度とならないように、枠体１４と対向する面の外端周縁部６９ｄを傾斜させたものである。即ち、光入射面６９ａから導光部材６９に入射した光が、傾斜した外端周縁部６９ｄによって臨界角より大きな反射角となるよう反射されて光伝達部６９ｃおよび光出射面６９ｂ側へ導かれる。これにより、光出射面６９ｂより出射され、使用者へ向かう光量を増加させることができる。
【００３５】
以上、導光部材５９，６９のような構成とすれば、光入射面５９ａ，６９ａから入射した光の内で、臨界角で進む光も確実に補足でき、使用者側に向かう反射光を多く確保することができ光量不足を回避することができる。
【００３６】
次に、図１１〜図１４に基づいて、本発明の第７〜第１０実施形態について説明する。図１１〜図１４はそれぞれ本発明の第７〜第１０実施形態である照明付鏡を示す部分断面図である。なお、図１１〜図１４において図５に示す符号と同じ符号を付している部分は照明付鏡２０の構成部分と同じ構造、機能を有する部分であり、説明を省略する。
【００３７】
（第７実施形態）  
枠体と鏡の反射面との間隙から水が浸入して照明器具まで到達した場合、照明器具の電極が腐食するなどして、故障を招くおそれがある。そこで、図１１に示す照明付鏡７０においては、枠体１４と鏡１２の反射面１２ａとの間隙Ｓを下方より覆う水受部材７１，７２を、枠体１４の背面であって、且つ鏡１２と照明器具１３との間に設けている。水受部材７１は導光部材２９の光入射面２９ａと同じ傾斜角度で鏡１２の背面側へ突出するように接着されている。なお、鏡１２の係止部材１６が存在する部分には水受部材７１を設けることができないので、この部分には、断面が略Ｌ字形状をした水受部材７２が配置されている。これにより、間隙Ｓから浸入した水は水受部材７１，７２によって受け止められ、照明器具１３まで水が到達することがない。なお、本実施形態においては、下方に配置された照明器具１３と鏡１２との間に水受部材７１，７２を設けているが、側方に配置した照明器具と鏡１２との間に水受部材を設けても良い。
【００３８】
（第８実施形態）  
図１２に示す照明付鏡８０においては、枠体１４と鏡１２の反射面１２ａとの間隙Ｓを下方より覆う水受部材８１，８２を、枠体１４の背面であって、且つ照明器具１３より上方に設けている。水受部材８１，８２の断面は略フック形状であり、水受部材８１，８２は導光部材２９の背面側の傾斜面２９ｄに沿って両面粘着テープ８３によって貼着されている。また、鏡１２の係止部材１６が存在する部分には、水受部材８２よりサイズの小さい水受部材８１が配置されている。これにより、間隙Ｓから浸入した水は水受部材８１，８２によって受け止められ、照明器具１３まで水が到達することがない。なお、本実施形態においても、側方に配置した照明器具と鏡１２との間に水受部材を設けても良い。
【００３９】
照明付鏡７０，８０のような構成とすれば、間隙Ｓから下方へ浸入した水は水受部材７１，７２あるいは水受部材８１，８２によって受け止められ、照明器具１３への水の浸入が回避されるため、浸水に起因する照明器具１３の故障を防止することができる。このため、照明付鏡７０，８０は水気の多い空間に設置する場合に好適である。なお、水受部材７１，７２，８１，８２の上面を、鏡１２の側面方向に傾斜させれば、水受部材７１，７２，８１，８２によって受け止められた水は傾斜に沿って鏡１２の側面方向へ流動し、水受部材７１，８２の端部から排出されるため、水受部材７１，７２，８１，８２上に流れ込んだ水がその場所に滞留して悪影響を及ぼすのを防止することができる。
【００４０】
（第９実施形態）  
図１３に示す照明付鏡９０においては、鏡１２の反射面１２ａと導光部材２９との間に複数の透明なパッキン９１，９２，９３が挟持されている。このような構成とすれば、鏡１２の反射面１２ａと導光部材２９との間から水が浸入して、照明器具１３に悪影響を及ぼすのを防止することができる。パッキン９１，９２，９３の材質は限定しないが、例えば、透明なシリコンゴムなどが好適である。これにより、照明器具１３を点灯させた場合でもパッキン９１，９２，９３が鏡１２の反射面１２ａに映り込むことがないので、意匠性が損なわれない。なお、パッキン９１，９２，９３の個数や位置は図１３に示す形態に限定しないので、使用条件に適した個数を任意の位置に配置することができる。
【００４１】
（第１０実施形態）  
図１４に示す照明付鏡１００においては、鏡１２の反射面１２ａと導光部材２９との間であって、導光部材２９の端部から極力離れた位置にパッキン１０１が挟持されている。このようなパッキン１０１を設けることにより、鏡１２の反射面１２ａと導光部材２９との間から浸入する水を確実に止水することができる。パッキン１０１の材質は特に限定しないがゴムあるいは発泡樹脂などが好適である。
【産業上の利用可能性】
【００４２】
本発明の照明付鏡は、ホテル、旅館、レストラン等のパブリックスペースの洗面所等において広く利用することができる。
【図面の簡単な説明】
【００４３】
【図１】本発明の第１実施形態である照明付鏡を照明器具点灯状態で模式的に示す正面図である。  
【図２】図１に示す照明付鏡の分解斜視図である。  
【図３】図１に示す照明付鏡の分解斜視図である。  
【図４】図１のＡ−Ａ線における断面図である。  
【図５】本発明の第２実施形態である照明付鏡を示す部分断面図である。  
【図６】本発明の第３実施形態である照明付鏡を示す部分断面図である。  
【図７】本発明の第４実施形態である照明付鏡を示す部分断面図である。  
【図８】図７に示す照明付鏡に関するその他の実施形態を示す部分断面図である。  
【図９】本発明の第５実施形態である照明付鏡を構成する導光部材を示す部分断面図である。  
【図１０】本発明の第６実施形態である照明付鏡を構成する導光部材を示す部分断面図である。  
【図１１】本発明の第７実施形態である照明付鏡を示す部分断面図である。  
【図１２】本発明の第８実施形態である照明付鏡を示す部分断面図である。  
【図１３】本発明の第９実施形態である照明付鏡を示す部分断面図である。  
【図１４】本発明の第１０実施形態である照明付鏡を示す部分断面図である。
【符号の説明】
【００４４】
１０，２０，３０，４０，７０，８０，９０，１００ 照明付鏡  
１１ 鏡支持部材
１２ 鏡
１２ａ 反射面
１３ 照明器具
１４ 枠体
１４ａ 上部取付具
１４ｂ 下部取付具
１５ インバータ
１６，１７ｂ 係止部材
１７ａ 係止具
１８ａ 上部受け具
１８ｂ 下部受け具
１９，２９，３９，４９，５９，６９ 導光部材
１９ａ，２９ａ，３９ａ，４９ａ，５９ａ，６９ａ 光入射面
１９ｂ，２９ｂ，４９ｂ，５９ｂ，６９ｂ 光出射面
１９ｃ，２９ｃ，５９ｃ，６９ｃ 光伝達部
２９ｄ 傾斜面  
２９ｒ 光入射面と枠体の背面とがなす角
４９ｄ 光散乱面  
７１，７２，８１，８２ 水受部材
９１，９２，９３，１０１ パッキン
Ｎ１ ネジ
Ｎ２ ローレットネジ
Ｓ 間隙
Ｗ 壁面